(57)【要約】【課題】映像データを視聴中にスキップ操作をした際、スキップされたシーンの中に、ユーザの嗜好に合ったシーンがあった場合の見逃しを防ぐことが出来る映像再生装置を提供する。【解決手段】映像データの取得や、ユーザの操作による操作信号に対する処理を行うマイコン部１１と、映像データを復号（デコード）して出力する第１画面生成部１３と、第１画面生成部１３の再生位置に対して前記マイコン部１１に入力されたスキップ操作信号に対する処理を行った映像データをデコードして出力する第２画面生成部１４と、第１画面生成部１３と第２画面生成部１４から出力された映像データを合成する映像合成部１５とを備えており、さらに、前記第２画面生成部１４からの出力を停止し、前記第１画面生成部１３からの出力を継続することも可能とする。【選択図】図１
2012009927.tif 000002
【特許請求の範囲】
【請求項１】
第１画面用の映像データとして出力する第１画面生成部と、
入力されたスキップ操作などの操作信号に基づき、前記第１画面生成部での再生位置に対する処理結果を第２画面用の映像データとして出力する第２画面生成部と、
前記第１画面生成部から出力された前記第１画面用の映像データと、前記第２画面生成部から出力された前記第２画面データを合成し、映像信号として出力する映像合成部とを備えたことを特徴とする映像再生装置。
【請求項２】
請求項１に記載の映像再生装置において、
前記第２画面生成部で出力されている映像データを縮小して前記第１画像生成部から出力される映像データと合成して出力することを特徴とする映像再生装置。
【請求項３】
請求項１または請求項２に記載の映像再生装置において、
前記第２画面を削除し、前記第１画面のみを出力することを特徴とする映像再生装置。
【請求項４】
請求項１または請求項２に記載の映像再生装置において、
前記第１画面を削除し、前記第２画面のみを出力することを特徴とする映像再生装置。
【請求項５】
映像データを出力する第１デコーダと、
スキップ操作などの操作信号が入力された時点の前記第１デコーダから出力されている映像データを静止画データとして保存する第３メモリと、
前記第１デコーダからの映像データと前記第３メモリに保存された静止画データを合成し、映像信号として出力する映像合成部とを備えたことを特徴とする映像再生装置。
【請求項６】
請求項５に記載の映像再生装置において、
前記第３メモリは、前記操作信号が入力された時点での再生位置を保存し、保存した再生位置から出力を再開することを特徴とする映像再生装置。
【請求項７】
請求項５に記載の映像再生装置において、
前記第３メモリに保存された静止画データと第１デコーダからの出力される映像データの合成を終了し、前記第１デコーダから出力された映像データのみを映像信号として出力することを特徴とする映像再生装置。
【発明の詳細な説明】
【技術分野】
【０００１】
本発明は、記録媒体に蓄積された映像データを再生する映像再生装置に関する。
【背景技術】
【０００２】
近年、ハードディスク等の記録媒体の大容量化が進んでおり、記録媒体を持つ映像再生装置において、より多くの映像データが蓄積されるようになってきている。そのため、膨大な映像データの、全てを視聴する時間をユーザが確保することがより困難となってきている。そのため早送りや区間スキップなどの特殊再生操作により、ユーザが映像データの中から部分的に選択して視聴することで、映像データの視聴時間の短縮を図っていた。
【０００３】
また、例えば特許文献１で示されるように、映像データより得られた情報を分析し、重要とされるシーンのみからなるダイジェストを作成し、そのダイジェストのみを再生していくことにより、視聴時間の短縮を図ることを支援する技術が考案されている。
【先行技術文献】
【特許文献】
【０００４】
【特許文献１】特開平１１−２３８０７１号公報
【発明の概要】
【発明が解決しようとする課題】
【０００５】
上述したように、特許文献１に記載された技術では、映像データから得られた情報を分析し、重要と思われるシーンのみのダイジェストを装置が自動で作成しているので、ダイジェストに選択されたシーンが、ユーザの嗜好に必ずしも合致しているとは限らない。
【０００６】
例えば、映像データを視聴中に、スキップ操作をして、次のダイジェストシーンの再生をすると、そのスキップ操作でスキップされたシーンの中に、ユーザの嗜好に合ったシーンがあり見逃す可能性がある。または、スキップ先に嗜好に合ったシーンがない場合もある。
【０００７】
そこで、本発明は、ユーザの嗜好に合ったシーンの見逃しを抑え、かつ視聴時間の短縮を図った、または、スキップ先に嗜好に合ったシーンがない場合のユーザの操作において利便性向上を図った映像再生装置を提供することを目的とする。
【課題を解決するための手段】
【０００８】
上記の目的を達成するため、本発明の映像再生装置は、第１画面用の映像データとして出力する第１画面生成部と、入力されたスキップ操作などの操作信号に基づき、前記第１画面生成部での再生位置に対する処理結果を第２画面用の映像データとして出力する第２画面生成部と、前記第１画面生成部から出力された前記第１画面用の映像データと、前記第２画面生成部から出力された前記第２画面データを合成し、映像信号として出力する映像合成部とを備えたことを特徴とする。
【０００９】
本発明の映像再生装置は、更に、上記構成において、前記第２画面生成部で出力されている映像データを縮小して前記第１画像生成部から出力される映像データと合成して出力することを特徴とする。
【００１０】
本発明の映像再生装置は、更に、上記構成において、前記第２画面を削除し、前記第１画面のみを出力することを特徴とする。
【００１１】
本発明の映像再生装置は、更に、上記構成において、前記第１画面を削除し、前記第２画面のみを出力することを特徴とする。
【００１２】
また、本発明の映像再生装置は、映像データを出力する第１デコーダと、スキップ操作などの操作信号が入力された時点の前記第１デコーダから出力されている映像データを静止画データとして保存する第３メモリと、前記第１デコーダからの映像データと前記第３メモリに保存された静止画データを合成し、映像信号として出力する映像合成部とを備えたことを特徴とする。
【００１３】
本発明の映像再生装置は、更に、上記構成において、前記第３メモリは、前記操作信号が入力された時点での再生位置を保存し、保存した再生位置から出力を再開することを特徴とする。
【００１４】
本発明の映像再生装置は、更に、前記第３メモリに保存された静止画データと第１デコーダからの出力される映像データの合成を終了し、前記第１デコーダから出力された映像データのみを映像信号として出力することを特徴とする。
【発明の効果】
【００１５】
本発明になる映像再生装置によれば、映像データにおいて現在視聴中のシーンの再生を継続しつつ、他のシーンを子画面内で検索可能であり、検索開始時に視聴していたシーンの続きにユーザの嗜好に合ったシーンがあった場合の見逃しを防ぐことができるという、ユーザの使い勝手に対し優れた効果を発揮する。または検索先にユーザの嗜好に合ったシーンがない場合、子画面を削除するというステップのみで検索前に視聴していたシーンの視聴を継続できるという、ユーザの操作における利便性の向上という優れた効果を発揮する。
【図面の簡単な説明】
【００１６】
【図１】図１は、本発明の実施例１の映像再生装置を示すブロック図である。
【図２】図２は、本発明の実施例１の映像再生装置の出力端子から出力される映像を示す図である。
【図３】図３は、本発明の実施例１の映像再生装置において再生される映像データを説明する図である。
【図４】図４は、本発明の実施例１の映像再生装置における、バックグラウンドスキップ再生の処理に関するフローチャート図である。
【図５】図５は、本発明の実施例２の映像再生装置を示すブロック図である。
【図６】図６は、本発明の実施例２の映像再生装置における、バックグラウンドスキップ再生の処理に関するフローチャート図である。
【発明を実施するための形態】
【００１７】
以下、本発明の実施の形態について、図面を用いながら詳細に説明する。
【実施例１】
【００１８】
図１は本発明の実施例１の映像再生装置を示すブロック図である。図１に示すように、映像再生装置１は、記録媒体１０、マイコン１１、操作入力部１２、第１画面生成部１３、第２画面生成部１４、映像合成部１５、出力端子１６、リモコン受信部１８を有している。第１画面生成部１３は、第１メモリ１３０および第１デコーダ１３１から構成されており、第２画面生成部１４は、第２メモリ１４０および第２デコーダ１４１から構成されている。２は、テレビやモニタなどの表示装置であり、映像再生装置１と表示装置２は、接続ケーブル１７にて接続されている。
【００１９】
記録媒体１０は、例えばハードディスクドライブ（ＨＤＤ）、ＢＤ／ＤＶＤ等の光ディスクドライブ、フラッシュメモリ等の不揮発性メモリなどであって、放送番組や撮影映像等の映像データが保存可能となっている。また、記録媒体１０は、映像再生装置１に内蔵されている必要はなく、ネットワーク上など映像再生装置１の外部にあってもよい。
【００２０】
操作入力部１２は、各種操作（再生、停止、スキップなど）を受け付ける操作ボタンであり、ユーザが操作ボタンを操作し、それに対応した操作信号を、マイコン１１に出力するものである。また、ユーザがリモコン１９を操作し、その操作信号をリモコン受信部１８にて受信し、マイコン１１に出力する場合もある。
【００２１】
マイコン１１は、マイクロプロセッサを中心に構成されており、記録媒体１０に保存されている映像データを取り出し、その映像データを第１画面生成部１３ないし第２画面生成部１４へ出力したり、操作入力部１２やリモコン受信部１８からの操作信号を受け取り、それに応じた制御を行ったりするものである。
【００２２】
最初に、記録媒体１０に保存された映像データを表示装置２に表示（再生）するときの処理について説明する。
【００２３】
操作入力部１２あるいは、リモコン受信部１８から、マイコン１１に再生の操作信号が入力された場合、記録媒体１０に格納された映像データは、マイコン１１経由で第１画面生成部１３の第１メモリ１３０に入力される。第１メモリ１３０に入力された映像データは、順次第１デコーダ１３１に出力される。映像データは第１デコーダ１３１により復号（デコード）され、表示装置２にて表示可能な映像データへと変換されて、映像合成部１５へ出力する。
【００２４】
映像合成部１５は、入力された映像データの表示サイズや位置の調整を行うスケーラ等を中心に構成されており、第１画面生成部１３から出力された映像データを出力端子１６へ出力する。
【００２５】
出力端子１６は、映像信号を外部に出力する端子であり、出力端子１６から出力された映像信号はケーブル１７を介して表示装置２へと出力する。ここで、ケーブル１７は、ＨＤＭＩケーブルやコンポジットケーブルなどの映像信号を送るためのケーブルである。
【００２６】
また、本発明の映像再生装置１は、第１画面生成部１３と同様の構成の第２画面生成部１４を有しており、第１画面生成部１３と同様に、記録媒体１０に格納された映像データが、マイコン１１、第２メモリ１４０、第２デコーダ１４１へと出力され、第２デコーダ１４１にて復号され、映像合成部１５に出力される。ここで、第２メモリ１４０、第２デコーダ１４１は、それぞれ第１メモリ１３０、第１デコーダ１３１と同等のものである。
【００２７】
映像合成部１５は、第２画面生成部１４からの映像データを出力端子１６に出力することもできる。
【００２８】
さらには、記録媒体１０に格納された映像データを、マイコン１１を経由して、第１画面生成部１３と第２画面生成部１４の両方に入力し、第１画面生成部１３と第２画面生成部１４からの２つの映像データを合成して、１つの映像として出力端子１６に出力することもできる。
【００２９】
上記したように、映像合成部１５は、第１画面生成部１３からのみ映像データが入力されるときは、その映像データを出力端子１６より出力し表示装置２に表示させる。また、第２画面生成部１４からのみ映像データが入力されるときは、その映像データを出力端子１６より出力し表示装置２に表示させる。
【００３０】
さらには、第１画面生成部１３と共に第２画面生成部１４からも映像データが入力されるとき、第１画面生成部１３から出力される映像データと第２画面生成部１４から出力される映像データとを合成した映像データを表示装置２に出力して表示させるようにしている。さらに、映像合成部１５は、第１画面生成部１３から出力される映像データおよび第２画面生成部１４から出力される映像データの再生位置などの情報も合成して表示することができる。
【００３１】
図２は、出力端子１６から出力される（表示装置２に表示される）映像を示す図である。第１画面生成部１３を親画面２０として画面全体に表示し、第２画面生成部１４にて生成された映像を子画面２１として、親画面２０の右下角部に縮小し合成して表示している。
【００３２】
さらに、左下角部には、第１画面生成部１３および第２画面生成部の映像データの再生位置の情報を表示している。
【００３３】
再生位置情報２２は、映像データ全体の長さを示すプログレッシブバー表示部２２０、映像データの総再生時間を示す映像データ総再生時間表示部２２１、親画面での再生位置における経過時間を示す親画面再生経過時間表示部２２２、映像データ全体に対する親画面での再生位置を示す親画面再生位置表示部２２３、子画面での再生位置における経過時間を示す子画面再生経過時間表示部２２４、映像データ全体に対する子画面での再生位置を示す子画面再生位置表示部２２５、子画面で再生しているシーンの名称を示す子画面再生位置シーン名称表示部２２６を有している。
【００３４】
なお、子画面で再生しているシーンに名称がない場合は、子画面再生位置シーン名称表示部２２６は空欄となる。
【００３５】
図３は、映像データを説明する図である。映像データの開始位置は３０１、終了位置は３０２であり、３つのダイジェストシーン３１、３２、３３を有している。第１ダイジェストシーン３１は開始位置３１１から終了位置３１２までの区間、第２ダイジェストシーン３２は開始位置３２１から終了位置３２２までの区間、第３ダイジェストシーン３３は開始位置３３１から終了位置３３２までの区間である。
【００３６】
なお、ダイジェストシーン３１、３２、３３は、映像データ全体の各シーンにおいて、重要度が所定値以上であるシーンを抽出したものであり、抽出はマイコン１１において行われる。
【００３７】
次に、本発明の特徴である、バックグラウンドスキップ再生（従来のスキップ再生と区別するため、本発明のスキップ再生をバックグラウンドスキップ再生という）について詳細に述べる。
【００３８】
この機能は、通常再生時に、現在視聴しているシーンの再生を継続しつつ、現在視聴しているシーンよりもユーザの嗜好にあったシーンを探す場合に使われる機能である。
【００３９】
図４は本発明の実施例１の映像再生装置１のバックグラウンドスキップ再生の処理に関するフローチャート図である。図４を用いて、映像再生装置１において映像データの再生中に、ユーザがバックグラウンドスキップ再生の操作を行った場合について説明する。
【００４０】
まず、記憶媒体１０に格納された映像データの再生操作を行うと、第１画面生成部１３より映像データの開始位置３０１より出力を開始する（Ｓ４０１）。このとき、第２画面生成部から映像データは出力されていない。映像データ出力中の状態で、マイコン１１に操作入力部１２もしくはリモコン受信部１８からの操作信号の入力待ち状態となる（Ｓ４０２）。
【００４１】
ここで、操作信号が入力されると、その入力された操作信号がバックグラウンドスキップ再生の操作信号かを判定する（Ｓ４０３）。入力された操作信号がバックグラウンドスキップ再生の操作信号でないときは、その操作信号に応じた処理を行い、Ｓ４０２に戻る。
【００４２】
Ｓ４０３において、入力された操作信号がバックグラウンドスキップ再生の操作信号の時は、記録媒体１０内の映像データを第２画面生成部１４にも出力し、第２画面生成部１４にてデコードされた映像信号により子画面２１が生成される（Ｓ４０４）。
【００４３】
そして、子画面２１内で次のダイジェストシーンにスキップし、そのシーンの開始位置より再生が実行される（Ｓ４０５）。すなわち、バックグラウンドスキップ再生の操作信号を入力した時間が図３において時間ｔの場合は、次の第２ダイジェストシーン３２の開始位置３２１にスキップすることになる。
【００４４】
このとき、第１画面生成部１３における映像データの再生は親画面２０として継続して出力する。第１画面生成部１３と第２画面生成部１４の両映像データを出力している状態でマイコン１１に操作入力部１２もしくはリモコン受信部１８からの操作信号の入力待ち状態となる（Ｓ４０６）。
【００４５】
ここで、ユーザは操作入力部１２もしくはリモコン１９にて、以下の操作信号に対応するキーを入力することとする。
【００４６】
子画面２１にて再生中の映像データにおいて、次のダイジェストシーンにスキップしたい場合は「スキップ再生」、ユーザの嗜好に合ったシーンの場合は「決定」、ユーザの嗜好に合ったシーンがなかった場合は「戻る」のそれぞれに対応するキーを入力し、そのキーに対応した操作信号がマイコン１１に入力される。
【００４７】
まず、Ｓ４０７にて、入力された操作信号が、「スキップ再生」の操作信号かを判定する。操作信号が「スキップ再生」の操作信号の場合は、Ｓ４０５に戻り、子画面２１内の映像データに対して、次の第３ダイジェストシーン３３にスキップして、そのシーンの開始位置３３１より再生を行い、第２画面生成部１４より出力される。
【００４８】
このように、第１画面生成部１３からの映像データを親画面２０で出力しながら、第２映像生成部１４の映像データのみを子画面２１にて、次々とスキップ再生することができる。Ｓ４０７にて、操作信号が「スキップ再生」の操作信号以外の場合はＳ４０８に進む。Ｓ４０８では、入力された操作信号が「決定」の操作信号かを判定し、「決定」の操作信号の場合は、Ｓ４０９にて子画面２１を削除する。第１画面生成部１３からの映像データの出力を停止し、第２画面生成部１４からの映像データを親画面２１として表示装置２へ出力し（Ｓ４１０）、処理を終了する。
【００４９】
また、Ｓ４０８にて、入力されえた操作信号が「決定」の操作信号でない場合は、Ｓ４１１に進む。Ｓ４１１では、入力された操作信号が「戻る」の操作信号かを判定し、「戻る」の操作信号の場合は、Ｓ４１２にて子画面２１を削除し、第２画面生成部１４からの映像データの出力を停止し、第１画面生成部からの映像データは、そのまま表示装置２へ出力を継続し（Ｓ４１３）、処理を終了する。
【００５０】
Ｓ４１１にて、「戻る」の操作信号以外の場合は、Ｓ４０６に戻る。
上記は、バックグラウンドスキップ再生の操作入力がダイジェストシーン以外の場合で説明したが、これに限定されるものでなく、例えば第１ダイジェストシーン３１の再生途中で、バックグラウンドスキップ再生操作を行ったとき（Ｓ４０３）は、Ｓ４０５において再生される映像データは、次のダイジェストシーンである第２ダイジェストシーン３２の開始時間３２１にスキップされて再生される。
【００５１】
なお、上記では、第１画面生成部１３からのみ映像データが出力されている状態のときに、バックグラウンドスキップ再生操作を行った場合について説明したが、第２画面生成部１４からのみ映像データが出力されている状態のときに、バックグラウンドスキップ再生操作を行った場合においても、バックグラウンドスキップ再生の機能を使うことができる。そのときは、上記内の第１画面生成部１３と第２画面生成部１４の役割は逆になり、第１画像生成部１３の映像が子画面２１となり、第２画像生成部１４の映像が親画面２０となる。  ここで、子画面削除Ｓ４０９、Ｓ４１２の処理の後に親画面の継続処理Ｓ４１０、Ｓ４１３を行っているが、この順序は逆でもよい。
【００５２】
また、上記においては、第１画面生成部１３と第２画面生成部１４を同等のものとして説明したが、第２画面生成部１４からの映像データの出力を子画面２１のような小さな画面への出力専用とした場合、第２画面生成部１４の性能は第１画面生成部１３よりも低くても良い。その場合、図５のシーケンスＳ４１０において子画面２１の再生を親画面２０で継続するとき、第２画面生成部１４で行っている映像データの出力を、第１画面生成部からの出力に切り替える。
【００５３】
なお、上記において、親画面２０と子画面２１で同時に再生を行っている場合、音声に関しては任意の画面の音声を出力する。もしくは両画面の音声を合成して出力しても良い。
なお、上記バックグラウンドスキップ再生について、シーンを検索するための操作として、スキップ操作以外に、早送りや巻き戻し、逆方向へのスキップ、一時停止、通常再生など他の操作を含めることで、検索の利便性の向上を図ることもできる。
【００５４】
例えば、子画面２１にて第２ダイジェストシーン３２を再生中の場合に、早送りや巻き戻し処理が行われたときは、子画面２１の第２ダイジェストシーン３２を早送りや巻き戻し処理を行うようにする。逆方向へのスキップについては、子画面２１にて第２ダイジェストシーン３２を再生中の場合は、第２ダイジェストシーン３２の開始時間３２１もしくは、１つ前の第１ダイジェストシーン３１の開始時間３１１にスキップするようにする。
【００５５】
なお、図２において、子画面２１は親画面２０の右下角部に合成されているが、右下角部に限らず、例えば、左下角部、右上角部、左上角部であっても良い。また、親画面２０と子画面２１を入れ替えて、第１画像生成部１３からの映像データを子画面２１として表示し、第２画像生成部１４からの映像データを親画面２０として表示しても良い。または、子画面２１は親画面２０に含まれる必要はなく、親画面２０と子画面２１を上下や左右に並んだ状態で合成しても良い。
【００５６】
また、上記においては、次のダイジェストシーンへスキップして再生していったが、これに限定されるものではなく、Ｓ４０５においては次のチャプタへスキップして再生するようにして、チャプタに次々とスキップするようにしてもよい。
【００５７】
なお、再生位置情報３の表示は、本発明の機能を実現するために必ずしも必要なものでなく、親画面２０と子画面２１の表示のみで、再生位置情報３の表示がなくてもよいのは言うまでもない。
【００５８】
上記したように、本発明の実施例１を適用した映像再生装置１によれば、視聴していたシーンの続きを親画面で再生しながら、同一映像データ内の他のシーンを子画面内で検索可能である。これにより、視聴していたシーンの続きと検索中のシーンとの比較を容易にできる。また、視聴していたシーンの続きにユーザの嗜好に合ったシーンがあった場合に、見逃すことを防ぐことができるという、ユーザの使い勝手に対し優れた効果を発揮する。
【００５９】
または、スキップ再生操作を含む検索操作で移動した先に嗜好に合ったシーンがない場合、簡単な操作でバックグラウンドスキップ再生操作前に視聴していたシーンの続きを視聴できるという、ユーザの操作における利便性の向上という優れた効果を発揮する。
【実施例２】
【００６０】
図５は本発明の実施例２の映像再生装置５を示すブロック図である。映像再生装置５において、５３は映像生成部、５５は映像合成部である。映像生成部５３、映像合成部５５以外のブロックは全て実施例１の映像再生装置１と共通であるので説明は省略する。
【００６１】
映像生成部５３は、第１メモリ１３０、第１デコーダ１３１、第３メモリ５４０からなる。第１メモリ１３０と第１デコーダ１３１は、実施例１の映像再生装置１の第１メモリ１３０と第１デコーダ１３１と共通である。第３メモリ５４０は、第１デコーダ１３１から出力された映像を静止画として保存し、映像合成部５５に出力するものである。また、第３メモリ５４０は、映像データの再生位置情報の保存にも使用される。
【００６２】
映像合成部５５は、第１デコーダ１３１から出力された映像データを出力端子１６へ出力する。また、第３メモリ５４０から静止画データの入力を受け付ける場合は、第１デコーダ１３１から出力された映像データと、第３メモリ５４０の静止画データを合成して出力する。
【００６３】
次に、映像再生装置５においてバックグラウンドスキップ再生を実行したときの動作について詳細に述べる。
【００６４】
図６は本発明の実施例２の映像再生装置５のバックグラウンドスキップ再生の処理に関するフローチャート図である。図６を用いて、映像再生装置５において映像データの再生中に、ユーザがバックグラウンドスキップ再生の操作を行った場合について説明する。
【００６５】
まず、記憶媒体１０に格納された映像データの再生操作を行うと、第１デコーダ１３１より記録媒体１０内の映像データの開始位置３０１より出力を開始する（Ｓ６０１）。このとき、第３メモリ５４０から映像（静止画）データは出力されていない。
【００６６】
映像データ出力中の状態で、マイコン１１に操作入力部１２もしくはリモコン受信部１８からの操作信号の入力待ち状態となる（Ｓ６０２）。ここで、操作信号が入力されると、その入力された操作信号がバックグラウンドスキップ再生の操作信号かを判定する（Ｓ６０３）。入力された操作信号がバックグラウンドスキップ再生の操作信号でないときは、その操作信号に応じた処理を行い、Ｓ６０２に戻る。
【００６７】
Ｓ６０３において、入力された操作信号がバックグラウンドスキップ再生の操作信号の時は、その時点で第１デコーダ１３１から出力されている映像データを静止画データとして第３メモリ５４０に保存すると共に、その時点での映像データの再生位置情報を第３メモリ５４０に保存し、第３メモリ５４０に保存された静止画データが映像合成部５５に出力し、子画面２１として生成される（Ｓ６０４）。
【００６８】
そして、親画面２０に第３メモリ５４０に保存された静止画データを表示することで親画面の再生を一時停止した状態となる（Ｓ６０５）。同時に、子画面２１内で次のダイジェストシーンにスキップし、そのシーンの開始位置より再生が実行される（Ｓ６０６）。
【００６９】
すなわち、バックグラウンドスキップ再生の操作信号を入力した時間が図３において時間ｔの場合は、次の第２ダイジェストシーン３２の開始位置３２１にスキップすることになる。また、第３メモリ５４０に保存される映像データの再生位置情報は時間ｔとなる。
【００７０】
映像合成部５５に第１デコーダ１３１からの映像データと第３メモリからの静止画データの両方が入力されている状態でマイコン１１に操作入力部１２もしくはリモコン受信部１８からの操作信号の入力待ち状態となる（Ｓ６０７）。
【００７１】
ここで、上記実施例１と同様にユーザは操作入力部１２もしくはリモコン１９にて、以下の操作信号に対応するキーを入力することとする。
【００７２】
子画面２１にて再生中の映像データにおいて、次のダイジェストシーンにスキップしたい場合は「スキップ再生」、ユーザの嗜好に合ったシーンの場合は「決定」、ユーザの嗜好に合ったシーンがなかった場合は「戻る」のそれぞれに対応するキーを入力し、そのキーに対応した操作信号がマイコン１１に入力される。
【００７３】
まず、Ｓ６０８にて、入力された操作信号が、「スキップ再生」の操作信号かを判定する。操作信号が「スキップ再生」の操作信号の場合は、Ｓ６０６に戻り、子画面２１内の映像データに対して、次の第３ダイジェストシーン３３の開始時間３３１にスキップして再生処理を行い、第１デコーダ１３１より出力される。このように、第３メモリ５４０に保存された静止画データを親画面２０で出力しながら、第１デコーダ１３１からの映像データを子画面２１にて、次々とスキップ再生することができる。Ｓ６０８にて、操作信号が「スキップ再生」の操作信号以外の場合はＳ６０９に進む。
【００７４】
Ｓ６０９では、入力された操作信号が「決定」の操作信号かを判定し、「決定」の操作信号の場合は、Ｓ６１０にて子画面２１を削除し、第３メモリ５４０から映像合成部５５への静止画データの出力を停止し、第１デコーダ１３１からの映像データを親画面２１として表示装置２へ出力し（Ｓ６１１）、処理を終了する。
【００７５】
実施例１と同様に、子画面２１にて第３ダイジェストシーン３３を表示中の場合は、第３ダイジェストシーン３３を親画面２０にて継続して表示することとなる。
【００７６】
また、Ｓ６０９にて、入力された操作信号が「決定」の操作信号でない場合は、Ｓ６１２に進む。Ｓ６１２では、入力された操作信号が「戻る」の操作信号かを判定し、「戻る」の操作信号の場合は、  Ｓ６１３にて子画面２１を削除し、第３メモリ５４０から映像合成部５５への静止画データの出力を停止し、映像生成部５３に入力される映像データの再生位置を第３メモリ５４０に保存されている再生位置（時間ｔ）に変更し、第１デコーダ１３１から映像データを出力することで、親画面の再生を再開した状態にし（Ｓ４１３）、処理を終了する。
【００７７】
Ｓ６１２にて、「戻る」の操作信号以外の場合は、Ｓ６０７に戻る。
ここで、子画面削除Ｓ６１０、Ｓ６１３の処理の後に親画面の継続処理Ｓ６１１、もしくは親画面の再開処理Ｓ６１４を行っているが、この順序は逆でもよい。
【００７８】
以上のように、実施例１においては、第１デコーダ１３１と第２デコーダ１４２の２個のデコーダを必要としていたが、実施例２においては、第１デコーダ１３１のみでよいという利点がある。
【００７９】
なお、上記バックグラウンドスキップ再生について、シーンを検索するための操作として、スキップ操作以外に、早送りや巻き戻し、逆方向へのスキップ、一時停止、通常再生など他の操作を含めることで、検索の利便性の向上を図ることもできる。
【００８０】
また、上記においては、次のダイジェストシーンへスキップして再生していったが、これに限定されるものではなく、Ｓ６０６においては次のチャプタにスキップを再生するようにして、チャプタに次々とスキップするようにしてもよい。
【００８１】
上記したように、本発明の実施例２を適用した映像再生装置５によれば、視聴していたシーンの静止画を親画面で再生しながら、同一映像データ内の他のシーンを子画面内で検索可能である。これにより、視聴していたシーンと検索中のシーンとの比較を容易にできる。検索中のシーンに嗜好に合ったシーンがない場合、簡単な操作で検索操作前に視聴していたシーンの視聴を継続できるというユーザの操作における利便性の向上という優れた効果を発揮する。
【００８２】
また、検索操作前に視聴していたシーンを静止画として表示しておくことで、検索操作前に視聴していたシーンの把握を容易にするというユーザの使い勝手に対し優れた効果を発揮する。
【符号の説明】
【００８３】
１  映像再生装置
２  表示装置
５  映像再生装置
１０  記録媒体
１１  マイコン（マイクロコンピュータ）
１２  操作入力部
１３  第１画面生成部
１４  第２画面生成部
１６  出力端子
１７  ケーブル
１８  リモコン受信部
１９  リモコン
２０  親画面
２１  子画面
２２  再生位置情報
５３  映像生成部
５５  映像合成部
１３０  第１メモリ
１３１  第１デコーダ
１４０  第２メモリ
１４１  第２デコーダ
２２０  プログレッシブバー表示部
２２１  映像データ総再生時間表示部
２２２  親画面再生経過時間表示部
２２３  親画面再生位置表示部
２２４  子画面再生経過時間表示部
２２５  子画面再生位置表示部
２２６  子画面再生位置シーン名称表示部
５４０  第３メモリ
【図１】
2012009927.tif 000003
【図２】
2012009927.tif 000004
【図３】
2012009927.tif 000005
【図４】
2012009927.tif 000006
【図５】
2012009927.tif 000007
【図６】
2012009927.tif 000008